(57)【要約】  携帯電話機又は電話ケースにスピーカシステムを取り外し可能に取り付けて、電話機のオーディオ出力を増強し、又はこれに置き換える。１つの例では、システムが、内蔵スピーカを備えた保護用の電話ケースを含む。これとは別に、又はこれに加えて、この取り付け機構を、携帯電話アクセサリのための汎用取り付け具として使用することもできる。このシステムは、電話機の表面にあらゆるアクセサリを取り付けるように構成された締結機構を含むことができる。【選択図】図１
2017537575.tif 000002
【特許請求の範囲】
【請求項１】
携帯電話機、及び該携帯電話機のケースの少なくとも一方に取り付けられるように構成されたハウジングと、
前記ハウジング内に配置された受信機と、
前記ハウジング内に配置されたスピーカ回路と、
を備えることを特徴とする装置。
【請求項２】
前記ハウジング内に配置された、オーディオコンテンツを記憶するメモリをさらに備える、
請求項１に記載の装置。
【請求項３】
前記ハウジング内に配置された、ユーザによる音質の調整を可能にするように構成されたアプリケーションを記憶するメモリをさらに備える、
請求項１に記載の装置。
【請求項４】
前記ハウジング内に配置された、ユーザが聴くものに関連する使用情報を記憶するメモリをさらに備える、
請求項１に記載の装置。
【請求項５】
前記ハウジングは、別の物体の表面に取り付けられる、
請求項１に記載の装置。
【請求項６】
前記受信機は、Ｂｌｕｅｔｏｏｔｈ、Ｗｉ−Ｆｉ及び衛星信号のうちの少なくとも１つを受け取るように構成される、
請求項１に記載の装置。
【請求項７】
前記受信機は、前記携帯電話機からワイヤを介してオーディオ信号を受け取るように構成される、
請求項１に記載の装置。
【請求項８】
前記受信機は、スピーカホンとして機能するように構成される、
請求項１に記載の装置。
【請求項９】
携帯電話機、及び該携帯電話機のケースの少なくとも一方に取り付けられて拡張するように構成されたハウジングと、
前記ハウジング内に配置されたスピーカ回路と、
を備えることを特徴とする装置。
【請求項１０】
前記ハウジングは、鋭角を成す第１及び第２の表面を含む、
請求項９に記載の装置。
【請求項１１】
前記ハウジングは、アコーデオン構造を含む、
請求項９に記載の装置。
【請求項１２】
前記ハウジングは、選択的かつ可逆的に拡張する、
請求項９に記載の装置。
【請求項１３】
前記ハウジングは、前記ケースと一体化される、
請求項９に記載の装置。
【請求項１４】
前記ハウジングは、前記携帯電話機のケースとは異なる、
請求項９に記載の装置。
【請求項１５】
電子装置、及び該電子装置のケースの少なくとも一方のハウジングと、
前記ハウジングに取り付けられた締結具と、
を備えた装置であって、前記締結具は、前記電子装置、及び該電子装置の前記ケースの少なくとも一方に取り外し可能に取り付けられるように構成されるとともに、別の物体に取り外し可能に取り付けられるように構成される、
ことを特徴とする装置。
【請求項１６】
前記ハウジング内に配置された無線スピーカ回路をさらに備える、
請求項１５に記載の装置。
【請求項１７】
前記ケース内に配置されたスピーカ回路をさらに備える、
請求項１５に記載の装置。
【請求項１８】
クイックリリースボタンをさらに備える、
請求項１５に記載の装置。
【請求項１９】
前記締結具は、コイン形である、
請求項１５に記載の装置。
【請求項２０】
前記物体は、磁石、接着剤、ネジ、空気圧、面ファスナ、及び機械的連動機構のうちの少なくとも１つを用いて取り外し可能に取り付けられる、
請求項１５に記載の装置。
【発明の詳細な説明】
【技術分野】
【０００１】
〔優先権の主張〕
本出願は、２０１４年１０月２７日に出願された米国仮特許出願第６２／０６９，２６７号の継続特許出願であるとともに、この仮特許出願に基づく優先権を主張するものであり、この文献はその全体が全ての目的で引用により本明細書に組み入れられる。
【０００２】
本開示は、スピーカ技術に関し、具体的には、ポータブル電子装置において使用するスピーカに関する。
【背景技術】
【０００３】
携帯電話機及びその他のポータブル電子装置は、その進化によってメディア用途のための便利なプラットフォームになっている。例えば、携帯電話機は、音楽及びその他のデジタルメディアを楽しむために日常的に使用されている。このような装置の携帯性には、関連する回路を比較的小型化することが必要である。狭い空間要件は、上質な満足できるオーディオ視聴体験をもたらすことに課題及び固有の限界を突きつけることがある。
【発明の概要】
【課題を解決するための手段】
【０００４】
特定の実施形態では、装置が、携帯電話機及び携帯電話機のケースの少なくとも一方に取り付けられるように構成されたハウジングを含む。ハウジング内には、受信機及びスピーカ回路が配置される。
【０００５】
１つの例では、ハウジング内にメモリが配置される。メモリは、オーディオコンテンツを記憶する。メモリは、ユーザによる音質の調整を可能にするように構成されたアプリケーションを記憶することができる。これに加えて、又はこれとは別に、メモリは、ユーザが聴くものに関連する使用情報を記憶する。
【０００６】
１つの実装では、ハウジングが別の物体の表面に取り付けられる。受信機は、Ｂｌｕｅｔｏｏｔｈ、Ｗｉ−Ｆｉ及び衛星信号のうちの少なくとも１つを受け取るように構成することができる。受信機は、携帯電話機からワイヤを介してオーディオ信号を受け取るように構成することができる。受信機は、スピーカホンとして使用されるように構成することができる。
【０００７】
別の特定の実施形態によれば、装置が、携帯電話機及び携帯電話機のケースの少なくとも一方に取り付けられるように構成されたハウジングを含む。ハウジングは、拡張するように構成される。ハウジング内には、スピーカ回路が配置される。
【０００８】
ある実施形態のハウジングは、鋭角を成す第１及び第２の表面を含む。同じ又は別の実施形態のハウジングは、アコーデオン構造を含む。ハウジングは、選択的かつ可逆的に拡張する。ある実施形態のハウジングは、ケースと一体化する。別の実施形態では、ハウジングが携帯電話機のケースと異なる。
【０００９】
別の特定の実施形態によれば、装置が、ハウジングと、ハウジングに取り付けられた締結具とを含む。締結具又は締結構造は、携帯電話機及び携帯電話機のケースの少なくとも一方に取り外し可能に取り付けられるように構成される。締結具は、別の物体に取り外し可能に取り付けられるようにさらに構成することができる。
【００１０】
ハウジング又はケース内には、スピーカ回路を配置することができる。別の実施形態では、ハウジング内に無線スピーカ回路が配置される。特定の実施形態では、締結具がコイン形である。物体は、磁石、接着剤、面ファスナ及び機械的連動機構のうちの少なくとも１つを用いて取り外し可能に取り付けられる。
【００１１】
実施形態を特徴付けるこれらの及びその他の利点及び特徴については、本明細書に添付されて本明細書のさらなる部分を成す特許請求の範囲に示す。しかしながら、本発明、及び本発明の使用を通じて実現される利点及び目的をより良く理解できるように、図面と、例示的な実施形態について説明する添付の記述事項とを参照されたい。
【図面の簡単な説明】
【００１２】
【図１】携帯電話機に取り付けられるように構成されたスピーカシステムの斜視図である。
【図２】携帯電話機に取り付けられるように構成されたスピーカシステムの上面図である。
【図３】拡張してキャビティを形成するように構成された取り付け可能スピーカシステムの斜視図である。
【図４】ポータブルメディア装置に取り付けられるように構成されたスピーカホンシステムの分解図である。
【図５】携帯電話ケース及び取り外し可能スピーカシステムに取り付けられるように構成された締結具の斜視図である。
【図６】壁構造又は電話機アクセサリなどの表面に電話機を取り付けるために使用できるコインの斜視図である。
【図７】表面に電話機を取り付けるために使用できるコイン７００の底面図である。
【図８】コインを収容構造に取り付けることができる取り付けシステムの実施形態を示す図である。
【図９】空気圧又は吸引力を用いてコインを固定機構に取り付けることができる取り付けシステムの実施形態を示す図である。
【発明を実施するための形態】
【００１３】
携帯電話機又は電話ケースにスピーカシステムを取り外し可能に取り付けて、電話機のオーディオ出力を増強し、又はこれに置き換えることができる。１つの例では、システムが、内蔵スピーカを備えた保護用の電話ケースを含む。これとは別に、又はこれに加えて、この取り付け機構を、携帯電話アクセサリのための汎用取り付け具として使用することもできる。このスピーカシステムは、電話機又はケースの表面にあらゆるアクセサリを取り付けるように構成された締結機構を含むことができる。
【００１４】
さらに、スピーカシステムは、あらゆるポータブルメディア装置に対して容易に着脱することができる。ポータブルメディア装置は、オーディオ及び／又はビデオを再生し、とりわけタブレット、スマートフォン、ラップトップコンピュータ及び携帯ゲーム機に限定されない。スピーカシステムの実施形態は、ポータブルメディア装置に直接接続することによって音を増幅させる。スピーカシステムは、その携帯性及び比較的小型の性質により、ポケットに入れて持ち運ぶことができる。
【００１５】
スピーカシステムは、完全に一体化された製品として構成されたスピーカ組み立て部品を有する保護ケースを含むことができる。別の実施形態によれば、スピーカシステムの構成部品とハウジングとを、保護ケースとは別個に構成して販売することができる。スピーカシステムは、とりわけ磁石、接着剤、面ファスナ及び機械的締結具を含む様々な取り付け方法を通じてあらゆる装置に取り付けることができる。スピーカシステムのさらに別の実施形態は、スピーカシステムをクリップ留めすることができるあらゆる表面への取り付けを可能にするクリッピングシステムと共に構築された構成部品及びハウジングを含むことができる。
【００１６】
スピーカシステムは、Ｂｌｕｅｔｏｏｔｈ、Ｗｉ−Ｆｉ、衛星及びその他のネットワーク技術を使用する無線接続を介してデータを送受信することができる。これとは別に、又はこれに加えて、スピーカシステムは、ケーブル又はその他の機械的差込口を用いて携帯電話機又は他のポータブルメディア装置に接続することもできる。
【００１７】
スピーカシステムには、１又は２以上のスピーカを含めることができる。スピーカは、バッテリ又はその他の電源に加えてオーディオへの接続性のための部品も収容する基板上に取り付けることができる。他の例示的な電源としては、無線充電、及びポータブルメディア装置又は電源コンセントへのプラグイン接続を挙げることができる。基板は、ポリマー、樹脂又は繊維などのアクリル樹脂材料で構成することができる。しかしながら、これとは別に、又はこれに加えて、他の材料を使用することもできる。
【００１８】
基板上に収容される制御回路は、オーディオを増幅できるとともに、イコライザ機能を通じて音響効果（例えば、低音、高音）を制御することができる。コントローラは、ポータブルメディア装置において受け取られたユーザ入力に従ってオーディオを調整するようにポータブルメディア装置と通信することができる。これとは別に、又はこれに加えて、スピーカシステムは、独自のインターフェイスを介して低音、高音、音量及びその他のオーディオ信号効果に関するユーザ入力を受け取ることができる。メモリは、ユーザによる再生用オーディオファイルのコピー及び他の方法での記憶を可能にすることができる。
【００１９】
ハウジングは、少なくとも部分的に基板及び関連する構成部品を含むことができる。ハウジングは、保護ケースと共に単一ユニットとして構成することも、又は別個に構成することもできる。従って、ハウジングは、異なる寸法を有する携帯電話機に適合するように構成することができる。
【００２０】
ハウジングは、オーディオ再生に合わせて視覚効果を自動的に生み出す光を含むことができる。ハウジング自体を色が変化する材料で構成することもできる。いずれの場合にも、ユーザは、色又は点灯順序を手動で調整することができる。
【００２１】
本明細書で説明するように、スピーカシステムの実施形態は、あらゆるポータブルメディア装置の表面に取り付けられるように構成される。スピーカシステムは、磁石、接着剤、クリップ又はその他の機械的締結具を用いて取り外し可能に取り付けることができる。例えば、ポータブルメディア装置に磁石を取り付けることができる。磁石は、表面が相対的に同じ高さになるようにスピーカシステムの吸着面に取り付けることができる。別の取り付け機構としては、機械的締結具を挙げることができる。例えば、締結具は、ポータブルメディア装置に取り付けられた嵌合式締結部品を用いてスピーカシステムを固定することができる。別の例では、クリッピングシステムが、衣服、アクセサリ、家具などに取り付けられるように構成されたクリップを有する巻き取り式ケーブルを含むことができる。さらに別の機械的締結機構としては、スピーカシステムとポータブルメディア装置とを共にネジ留めする、或いは嵌合クリップ、溝又はスロットを用いてこれらを共に取り付けるアセンブリを挙げることができる。
【００２２】
あるスピーカシステムの実施形態は、ポータブルメディア装置にぴったりとくっついて標準的な高さを維持する。スピーカシステムの別の又は同じ実施形態は、ハウジング上部の拡張を可能にするしなやかで柔軟な中心部を含む。（ポータブルメディア装置の表面に取り付けられた）底部と上部との間にキャビティを形成することができる。このキャビティは、音響を強化してさらなるベース効果をもたらす。ユーザは、オーディオを聴いている時に、スピーカシステムの上部を持ち上げて音質を高めることができる。その後、未使用時には上部を収納することができる。
【００２３】
或いは、スピーカシステムを保護ケースと一体的に構築することもできる。例えば、本明細書で説明するようなスピーカシステムの構成部品をスマートフォンケースに含めることができる。同様に、ケース及び一体型スピーカシステムは、拡張可能なキャビティ部分を含むことも、又は不変の薄型とすることもできる。
【００２４】
ある実施形態は、スマートフォンと共に使用する複数の交換可能なアクセサリをスマートフォン消費者が取り付けられるようにする取り外し可能な又は恒久的な取り付けシステムを提供する。取り付けは、スマートフォンの裏面に実際に物理的に直接アクセサリを取り付けることを含むことができる。別の実施形態は、電話機のケースに取り付けることができる。汎用取り付け機構を用いて（例えば、コインを用いて）、スピーカなどの複数の製品をそれぞれ取り付けることができる。
【００２５】
取り付け機構の１つの実施形態は、クリップを含むことができる。他の又は同じ実施形態は、とりわけ面ファスナ、磁石及び接着剤を含むことができる。アクセサリの例としては、以下に限定するわけではないが、とりわけスピーカシステム、自撮り棒、バックアップ用バッテリ充電器、プロジェクタ、ウォレット／カードホルダ、イヤホン及びゲーム機用アクセサリ（例えば、リモートコントローラ）が挙げられる。
【００２６】
ある実施形態は、磁石、コイン形締結具、クリッピングシステム、接着剤、及びあらゆる型又はモデルのスマートフォン又はタブレットへの取り付けを行う他のものを含むことができる取り付けシステムを含む。取り付けは、恒久的なもの、半恒久的なもの、又は一時的なものとすることができる。
【００２７】
システムは、電子装置に、或いは装飾用又は保護用のスマートフォン又はタブレットケースに直接取り付けることができる。ある実施形態では、複数のアクセサリを同時に取り付けることができる。システムは、複数の取り換え可能なアクセサリを装置（又はケース）上に配置できるようにする。
【００２８】
従来のスマートフォンアクセサリとは異なり、実施形態は、成形嵌めしなくても、又はワイヤでつながなくてもよい。従って、ユーザは、製品を別個に持ち運ばなくてもよく、又は自身の特定の電話機に成形嵌めされた（例えば、保護ケースに内蔵された）アクセサリを購入しなくてもよい。実施形態の汎用性は、新型の電子装置が発表された時に異なる電話サイズ及びタブレットサイズに対応する。
【００２９】
ある実施形態は、電話機／ケースにアクセサリを取り付けるだけでなく、電話機／ケースを複数の場所に取り付けることも可能にする複数の取り付け具／締結具を含むことができる。例えば、コイン（取り付けシステム）を含むストラップを自転車又はユーザの腕に巻きつけてアクセサリに取り付けることができる。システムの実施形態は、製造されたオリジナル装置とすることも、或いは電子装置又はケースと別売りすることもできる。
【００３０】
取り付け機構は、スピーカ又はバッテリパックなどの一時的アイテムのためのクイックリリースボタンを含むこともできるが、システムは、間にピンを通して留めるような別のタイプの締結具を含むこともできる。このような実施形態は、自撮り棒などの重いアイテムの場合に特に有用となり得る。
【００３１】
図面を具体的に参照すると、図１は、携帯電話機のケース１０４に取り付けられたスピーカシステム１０２を含む装置１００の斜視図である。スピーカシステム１０２は、携帯電話機（図示せず）及びケース１０４の少なくとも一方に取り付けられるように構成されたハウジング１０６を含む。ハウジング１０６は、取り外し可能に取り付けることができる。しかしながら、別の実施形態では、ハウジングをケースと一体化し、又は恒久的に取り付けることもできる。
【００３２】
図１の実施形態に示すように、ハウジング１０６は、上部１０８及び底部１１０を含む。ハウジング内には、スピーカ１１２及び関連する回路に加えて受信機が配置される。ハウジング１０６は、スピーカシステム１０２への音量及び出力を含むオーディオ再生の側面を制御するユーザインターフェイス１１４をさらに含む。
【００３３】
図２は、携帯電話機のケース２０４に取り付けられたスピーカシステム２０２を含む装置２００の上面図である。スピーカシステム２０２は、スピーカ２１２及びユーザインターフェイス２１４を含むハウジング２０６を含む。スピーカシステム２０２は拡張可能であり、ハウジング２０６の上部２１０の固定又は解除を選択的に行うための解除締結具２１６、２１８を含む。
【００３４】
図３は、携帯電話機のケース３０４に取り付けられたスピーカシステム３０２を含む装置３００の斜視図である。スピーカシステム３０２は、選択的に拡張及び収納が可能なハウジング３０６を含む。図２のハウジング３０６は、取り外し可能に取り付けられる。別の実施形態のハウジングは、ケースと一体化され、又は恒久的に取り付けることができる。
【００３５】
ハウジング３０６は、上部３０８及び底部３１０を含む。上部３０８は、スピーカ３１２を含み、底部３１０は、ケース３０４の表面に取り外し可能に取り付けられる。ハウジング３０６の拡張可能部分３２２は、解除締結具３１８を用いて固定又は解除される。拡張可能部分３２２のアコーデオン構造は、鋭角を成す第１及び第２の表面を含む。図３には、アコーデオン構造を示しているが、別の実施形態の拡張可能部分には、入れ子、又は軸の周囲で回転する部品を使用することもできる。
【００３６】
図４は、ハウジングの上部４０２及び底部４０４を含むスピーカシステム４００の分解図である。上部４０２は、スピーカ４０６及びスピーカカバー４０８を収容する。ユーザは、ユーザインターフェイス４１０によって音量及び出力属性を操作することができる。
【００３７】
締結具４１６を用いて固定されたプレート４１４上には、回路４１２を取り付けることができる。回路４１２は、Ｂｌｕｅｔｏｏｔｈ、Ｗｉ−Ｆｉ及び衛星信号のうちの少なくとも１つを受け取るように構成された受信機と、オーディオコンテンツを記憶するメモリとを含むことができる。メモリは、ユーザによる音質の調整を可能にするように構成されたアプリケーションを記憶することができる。これに加えて、又はこれとは別に、メモリは、ユーザが聴くものに関連する使用情報を記憶する。使用情報は、このような情報を追跡するアプリケーションに使用できるように、手動で又は自動的に中央サーバにアップロードすることができる。回路４１２は、ポータブルメディア装置のコントローラと連動して、ユーザがポータブルメディア装置のインターフェイスを介してシステム４００のオーディオ設定を調整できるようにする。
【００３８】
基部構造４１８、４２４上には、拡張可能部分４２２を取り付けることができる。この拡張可能部分は、図３の拡張可能部分３２２に類似することができる。
【００３９】
取り付け構造４２６は、磁石４２８及び締結具インターフェイス４３０を含むことができる。磁石４２８及び締結具インターフェイス４３０は、ポータブルメディア装置の表面に取り付けられた締結具に接続することができる。
【００４０】
図５は、携帯電話ケース５０４を含むシステム５００の斜視図である。ケース５０４には、ディスク形の締結具５２０が取り付けられる。締結具５２０は、磁石とすることができ、図４に示すような締結具インターフェイス４３０に取り付けられるように構成することができる。或いは、締結具５２０は、ほとんどのあらゆる実質的に平らな表面に取り付けることもできる。また、図５に示す締結具５２０はコイン形であるが、別の実施形態の締結具は、他のいずれかの形状とすることができる。
【００４１】
図６は、壁構造又は電話アクセサリ（例えば、自撮り棒、懐中電灯、スピーカ、バッテリ等）などの表面に電話機を取り付けるために使用できるコイン６００の斜視図である。コイン６００は、図５に示すコイン５２０に類似することができる。従って、コイン６００は、ケース、電話機又はその他の電子装置にも、コイン６００に取り付けられるように構成された特徴を有する（壁又はその他の表面に取り付けられた）締結具にも取り付けることができる。
【００４２】
図７は、壁又はアクセサリの表面などの表面に電話機を取り付けるために使用できるコイン７００の底面図である。コイン７００は、図６のコイン６００に類似することができる。コイン７００の区分７０２、７０４は、さらに小さなコイン形状７１０に対応するように、ヒンジ７０６、７０８を用いて分離する。さらに小さなコイン形状７１０は、ユーザが電話機又は他のコンピュータ装置を取り付けたいと望む壁又はその他の構造に固定して又は取り外し可能に取り付けることができる。さらに小さなコイン形状７１０は、ユーザが自身の電話機又は他の電子装置を一時的に取り付ける際に使用する異なる表面に固定された複数のもののうちの１つとすることができる。区分７０２、７０４は、固定されると、さらに小さなコイン形状７１０の周囲で再び閉じることができる。さらに小さなコイン形状７１０は、このようにコイン７００の内外に摺動することができる。さらに小さなコイン形状７１０の寸法も、コイン７００の寸法と同様に、箱型、ピラミッド型、又は他のいずれかの幾何学的組み合わせの形状とすることができる。
【００４３】
図８には、コイン８０２を収容構造８０４に取り付けることができる取り付けシステム８００の実施形態を示す。コイン８０２は、図５に示すコイン５２０に類似することができる。収容構造８０４は、コイン８０２を少なくとも部分的に内部に挿入できるように構成することができ、解除可能な固定機構８０６を用いてコイン８０２を固定することができる。ある実施形態では、収容構造８０４を、壁、椅子又はその他の表面などの取り付け表面に取り付けることができる。コイン８０２は、電話機又はＰＤＡの表面に取り付けることができる。或いは、収容構造８０４を電話機に取り付け、実施形態のコイン８０２を他の表面に取り付けることもできる。
【００４４】
図９には、空気圧又は吸引力を用いてコイン９０２を固定機構９０４に取り付けることができる取り付けシステム９００の実施形態を示す。コイン９０２は、図５に示すコイン５２０に類似することができる。ゴムの圧縮を用いて圧力シールを実現することができる。ゴムは、リング（雄部分）上、又は被取り付け装置上（雌側）に配置することができる。コイン上又は装置上のリリーフカットが、スナップ嵌めを支援することができる。装置をコイン上に押し付けると、ゴムが十分に圧縮して装置がリップ上にスナップ嵌めされる。
【００４５】
他の締結具機構としては、ノブ式取り付け、スライド式取り付け、及び溝式取り付けを挙げることができる。さらに他の締結具機構としては、締結具の別の部分に取り付けられた嵌合ねじにねじ込まれるように構成されたねじ付き面を有するコインを挙げることができる。締結具は、例えば三脚及び自撮り棒への取り付けを可能にすることができる。
【００４６】
当業者であれば、発明の概念から逸脱することなく、本明細書に開示した特定の装置及び技術を様々に使用し、修正し、発展させることができる。従って、開示した実施形態は、本明細書に開示した、添付の特許請求の範囲及びその同等物のみによって限定される装置及び技術に存在する、又はこれらの装置及び技術が所有するありとあらゆる新規の特徴及び特徴の組み合わせを含むものとして解釈すべきである。
【符号の説明】
【００４７】
１００  装置
１０２  スピーカシステム
１０４  ケース
１０６  ハウジング
１０８  上部
１１０  底部
１１２  スピーカ
１１４  ユーザインターフェイス
【図１】
2017537575.tif 000003
【図２】
2017537575.tif 000004
【図３】
2017537575.tif 000005
【図４】
2017537575.tif 000006
【図５】
2017537575.tif 000007
【図６】
2017537575.tif 000008
【図７】
2017537575.tif 000009
【図８】
2017537575.tif 000010
【図９】
2017537575.tif 000011
【国際調査報告】
2017537575.tif 000012
2017537575.tif 000013
2017537575.tif 000014